(57)【特許請求の範囲】
【請求項１】
画像データに基づいて形成された第１潜像に非発光性トナーを付着させる第１現像部と、
前記画像データに基づいて形成された第２潜像に前記非発光性トナーの色と同系色の発光性トナーを付着させる第２現像部と、
前記第１潜像に付着された前記非発光性トナーおよび前記第２潜像に付着された前記発光性トナーを媒体に転写させる転写部と、
前記媒体に転写された前記非発光性トナーおよび前記発光性トナーを定着させる定着部と
を備え、
前記第１現像部により前記第１潜像に付着された前記非発光性トナーに基づいて、前記媒体の表面に非発光性画像を形成し、
前記第２現像部により前記第２潜像に付着された前記発光性トナーに基づいて、前記媒体の表面に、前記非発光性画像のパターンと同じパターンとなるように前記発光性画像を形成し、
前記非発光性画像および前記発光性画像を互いに重ねる、
画像形成装置。
【請求項２】
前記非発光性画像の印字率は、１０％以上５０％以下である、
請求項１記載の画像形成装置。
【請求項３】
前記非発光性トナーは、イエロートナーであり、
前記発光性トナーは、蛍光イエロートナーである、
請求項１または請求項２に記載の画像形成装置。
【請求項４】
前記非発光性画像と前記発光性画像とが互いに重ねられた画像の色相では、
Ｌ値の変動量が３．１５％未満であり、
ａ値の変動量が２１．９０％未満であり、
ｂ値の変動量が３３．６３％未満である、
請求項３記載の画像形成装置。
【請求項５】
前記非発光性トナーは、マゼンタトナーであり、
前記発光性トナーは、蛍光マゼンタトナーである、
請求項１または請求項２に記載の画像形成装置。
【請求項６】
前記非発光性画像と前記発光性画像とが互いに重ねられた画像の色相では、
Ｌ値の変動量が１１．６３％未満であり、
ａ値の変動量が１５．９３％未満であり、
ｂ値の変動量が５．８６％未満である、
請求項５記載の画像形成装置。
【発明の詳細な説明】
【技術分野】
【０００１】
本発明は、トナーの現像処理を利用して画像を形成する画像形成装置に関する。
【背景技術】
【０００２】
電子写真方式の画像形成装置が広く普及している。インクジェット方式などの他の方式の画像形成装置と比較して、鮮明な画像が短時間で得られるからである。
【０００３】
電子写真方式の画像形成装置は、感光体ドラムを備えており、その感光体ドラムを用いて紙などの媒体の表面に画像を形成する。画像の形成工程では、感光体ドラムの表面に潜像が形成されたのち、その潜像にトナーが付着される。この潜像に付着されたトナーは、媒体に転写されたのち、その媒体に定着される。
【０００４】
カラー画像を形成するために、１色または２色以上のトナーが用いられている。この他、紫外線光の照射に応じて発光可能なトナー（発光性トナー）も用いられている（例えば、特許文献１参照。）。
【先行技術文献】
【特許文献】
【０００５】
【特許文献１】特開２００７−０１７７１９号公報
【発明の概要】
【発明が解決しようとする課題】
【０００６】
発光性トナーは経時的に退色しやすい性質を有しているため、その発光性トナーを用いて画像を形成する場合には、できるだけ画像の品質を保持できることが望ましい。
【０００７】
本発明はかかる問題点に鑑みてなされたもので、その目的は、高品質な画像を得ることが可能である画像形成装置を提供することにある。
【課題を解決するための手段】
【０００８】
本発明の一実施形態の画像形成装置は、画像データに基づいて形成された第１潜像に非発光性トナーを付着させる第１現像部と、その画像データに基づいて形成された第２潜像に非発光性トナーの色と同系色の発光性トナーを付着させる第２現像部と、第１潜像に付着された非発光性トナーおよび第２潜像に付着された発光性トナーを媒体に転写させる転写部と、媒体に転写された非発光性トナーおよび発光性トナーを定着させる定着部とを備え、第１現像部により第１潜像に付着された非発光性トナーに基づいて媒体の表面に非発光性画像を形成し、第２現像部により第２潜像に付着された発光性トナーに基づいて媒体の表面に非発光性画像のパターンと同じパターンとなるように発光性画像を形成し、非発光性画像および発光性画像を互いに重ねるものである。
【０００９】
ここで、「発光性トナー」とは、不可視光などの光を受けると、その不可視光などの光の吸収に起因して可視光を発生するトナーである。不可視光の種類は、特に限定されないが、例えば、紫外線光および赤外線光などのうちのいずれか１種類または２種類以上である。可視光の種類は、特に限定されないが、例えば、蛍光、夜光および蓄光などのうちのいずれか１種類または２種類以上である。
【００１０】
また、「非発光性トナー」とは、上記した発光性トナーとは異なり、不可視光などの光を受けても可視光を発生しないトナーである。
【発明の効果】
【００１１】
本発明の一実施形態の画像形成装置によれば、画像データに基づいて形成された第１潜像に対して第１現像部が非発光性トナーを付着させると共に、その画像データに基づいて形成された第２潜像に対して第２現像部が非発光性トナーの色と同系色の発光性トナーを付着させる。また、転写部が非発光性トナーおよび発光性トナーを媒体に転写させると共に、定着部が非発光性トナーおよび発光性トナーを媒体に定着させる。さらに、第１潜像に付着された非発光性トナーに基づいて媒体の表面に非発光性画像を形成し、第２潜像に付着された発光性トナーに基づいて媒体の表面に非発光性画像のパターンと同じパターンとなるように発光性画像を形成し、非発光性画像および発光性画像を互いに重ねる。よって、高品質な画像を得ることができる。
【図面の簡単な説明】
【００１２】
【図１】本発明の一実施形態の画像形成装置の構成を表す平面図である。
【図２】図１に示した現像部の構成を拡大して表す平面図である。
【図３】本発明の一実施形態の画像形成装置の動作を説明するための流れ図である。
【図４】本発明の一実施形態の画像形成装置により形成される画像の構成を説明するための断面図である。
【図５】本発明の一実施形態の画像形成装置により形成される他の画像の構成を説明するための断面図である。
【図６】本発明の一実施形態の画像形成装置により形成されるさらに他の画像の構成を説明するための断面図である。
【発明を実施するための形態】
【００１３】
以下、本発明の一実施形態に関して、図面を参照して詳細に説明する。なお、説明する順序は、下記の通りである。
１．画像形成装置
１−１．概要
１−２．全体構成
１−３．現像部の構成
１−４．トナーの構成
１−５．動作
１−６．作用および効果
２．変形例
【００１４】
＜１．画像形成装置＞
本発明の一実施形態の画像形成装置に関して説明する。
【００１５】
＜１−１．概要＞
まず、画像形成装置の概要に関して説明する。
【００１６】
ここで説明する画像形成装置は、例えば、電子写真方式のフルカラープリンタであり、非発光性トナーおよび発光性トナーを用いて媒体Ｍ（後述する図１参照）の表面に画像を形成する。媒体Ｍの材質は、特に限定されないが、例えば、紙およびフィルムなどのうちのいずれか１種類または２種類以上である。
【００１７】
発光性トナーの種類（色）は、特に限定されないため、１種類だけでもよいし、２種類以上でもよい。非発光性トナーの種類（色）は、特に限定されないため、１種類だけでもよいし、２種類以上でもよい。媒体Ｍの材質は、特に限定されないが、例えば、紙およびフィルムなどのうちのいずれか１種類または２種類以上である。
【００１８】
「発光性トナー」とは、上記したように、不可視光などの光を受けると、その不可視光などの光の吸収に起因して可視光を発生するトナーである。不可視光の種類は、特に限定されないが、例えば、紫外線光および赤外線光などのうちのいずれか１種類または２種類以上である。可視光の種類は、特に限定されないが、例えば、蛍光、夜光および蓄光などのうちのいずれか１種類または２種類以上である。
【００１９】
「非発光性トナー」とは、上記した発光性トナーとは異なり、不可視光などの光を受けても可視光を発生しないトナーであり、いわゆる通常トナーである。
【００２０】
以下では、発光性トナーおよび非発光性トナーを総称して、単に「トナー」とも呼称する。
【００２１】
この画像形成装置は、特に、後述するように、発光性トナーだけを用いて画像を形成可能であると共に、その発光性トナーと共に非発光性トナーを用いて画像を形成可能である。これに伴い、画像形成装置は、例えば、複数の画像形成モードを有している。
【００２２】
具体的には、画像形成装置は、例えば、２種類の画像形成モード（通常モードおよび耐光性ＵＰモード）を有している。通常モードは、画像を形成するために発光性トナーだけを用いる画像形成モードである。耐光性ＵＰモードは、画像を形成するために発光性トナーと共に非発光性トナーを用いる画像形成モードである。この耐光性ＵＰモードは、さらに、要求される耐光性などのレベルに応じて、印字率などの条件が異なる複数の画像形成モードを含んでいてもよい。なお、印字率とは、いわゆるｄｕｔｙ比である。
【００２３】
通常モードは、例えば、画像に対して耐光性がそれほど要求されない用途において用いられる。通常モードの用途は、例えば、単に媒体Ｍの表面に画像が形成されればよい用途などである。一方、耐光性ＵＰモードは、例えば、画像に対して十分な耐光性が要求される用途において用いられる。耐光性ＵＰモードの用途は、例えば、画質の保持が要求される認証画像を形成する用途や、日光の直射に晒されやすい画像を形成する用途などである。後者の画像は、例えば、いわゆるＴシャツプリントの用途において用いられる画像などであり、より具体的には、Ｔシャツの表面に形成される意匠用途の画像などである。
【００２４】
＜１−２．全体構成＞
次に、画像形成装置の全体構成に関して説明する。
【００２５】
図１は、画像形成装置の平面構成を表している。媒体Ｍは、搬送経路Ｒ１〜Ｒ５に沿って搬送される。図１では、搬送経路Ｒ１〜Ｒ５のそれぞれを破線で示している。
【００２６】
この画像形成装置は、例えば、図１に示したように、筐体１の内部に、トレイ１０と、送り出しローラ２０と、１または２以上の現像部３０と、転写部４０と、定着部５０と、搬送ローラ６１〜６８と、搬送路切り替えガイド７１，７２とを備えている。
【００２７】
［筐体］
筐体１は、例えば、金属材料および高分子材料などのうちのいずれか１種類または２種類以上を含んでいる。筐体１には、画像が形成された媒体Ｍを排出するためのスタッカ部２が設けられており、その画像が形成された媒体Ｍは、筐体１に設けられた排出口１Ｈから排出される。
【００２８】
［トレイおよび送り出しローラ］
トレイ１０は、例えば、筐体１に対して着脱可能に装着されており、媒体Ｍを収納している。送り出しローラ２０は、例えば、Ｙ軸方向に延在しており、そのＹ軸を中心として回転可能である。以降において説明する一連の構成要素のうち、名称中に「ローラ」という文言を含む構成要素は、送り出しローラ２０と同様に、Ｙ軸方向に延在していると共にＹ軸を中心として回転可能である。
【００２９】
トレイ１０には、例えば、複数の媒体Ｍが積層された状態で収納されている。このトレイ１０に収納されている複数の媒体Ｍは、例えば、送り出しローラ２０によりトレイ１０から１つずつ取り出される。
【００３０】
トレイ１０の数および送り出しローラ２０の数は、特に限定されないため、１個だけでもよいし、２個以上でもよい。図１では、例えば、トレイ１０の数が１個であると共に送り出しローラ２０の数が１個である場合を示している。
【００３１】
［現像部］
現像部３０は、トナーを用いて、そのトナーの付着処理（現像処理）を実行する。具体的には、現像部３０は、潜像（静電潜像）を形成すると共に、クーロン力を利用して潜像にトナーを付着させる。
【００３２】
このトナーは、上記したように、非発光性トナーおよび発光性トナーを含んでいる。非発光性トナーおよび発光性トナーのそれぞれの詳細に関しては、後述する。
【００３３】
ここでは、画像形成装置は、例えば、５個の現像部３０を備えている。５個の現像部３０は、例えば、発光性トナーを用いて現像処理を実行する第２現像部である３個の現像部３０（３０ＮＣ，３０ＮＭ，３０ＮＹ）と、非発光性トナーを用いて現像処理を実行する第１現像部である２個の現像部３０（３０Ｍ，３０Ｙ）とを含んでいる。
【００３４】
現像部３０ＮＣ，３０ＮＭ，３０ＮＹ，３０Ｍ，３０Ｙのそれぞれは、例えば、筐体１に対して着脱可能に装着されていると共に、後述する中間転写ベルト４１の移動経路に沿って配列されている。ここでは、現像部３０ＮＣ，３０ＮＭ，３０ＮＹ，３０Ｍ，３０Ｙは、例えば、中間転写ベルト４１の移動方向（矢印Ｆ５）において、上流側から下流側に向かってこの順に配置されている。
【００３５】
現像部３０ＮＣ，３０ＮＭ，３０ＮＹ，３０Ｍ，３０Ｙのそれぞれは、例えば、後述するカートリッジ３８（図２参照）に収納されているトナーの種類（色）が異なることを除いて、互いに同様の構成を有している。現像部３０ＮＣ，３０ＮＭ，３０ＮＹ，３０Ｍ，３０Ｙのそれぞれの構成に関しては、後述する。
【００３６】
［転写部］
転写部４０は、現像部３０により現像処理されたトナーを用いて転写処理を実行する。具体的には、転写部４０は、現像部３０により静電潜像に付着されたトナーを媒体Ｍに転写させる。
【００３７】
この転写部４０は、例えば、中間転写ベルト４１と、駆動ローラ４２と、従動ローラ（アイドルローラ）４３と、バックアップローラ４４と、１または２以上の１次転写ローラ４５と、２次転写ローラ４６と、クリーニングブレード４７とを含んでいる。
【００３８】
中間転写ベルト４１は、媒体Ｍにトナーが転写される前に、そのトナーが一時的に転写される媒体（中間転写媒体）であり、例えば、無端の弾性ベルトなどである。この中間転写ベルト４１は、例えば、ポリイミドなどの高分子材料のうちのいずれか１種類または２種類以上を含んでいる。なお、中間転写ベルト４１は、駆動ローラ４２、従動ローラ４３およびバックアップローラ４４のそれぞれにより張架された状態において、その駆動ローラ４２の回転に応じて移動可能である。
【００３９】
駆動ローラ４２は、例えば、モータなどの駆動源を介して回転可能である。従動ローラ４３およびバックアップローラ４４のそれぞれは、例えば、駆動ローラ４２の回転に応じて回転可能である。
【００４０】
１次転写ローラ４５は、静電潜像に付着されたトナーを中間転写ベルト４１に転写（１次転写）させる。この１次転写ローラ４５は、中間転写ベルト４１を介して現像部３０（後述する感光体ドラム３１：図２参照）に圧接されている。なお、１次転写ローラ４５は、中間転写ベルト４１の移動に応じて回転可能である。
【００４１】
ここでは、転写部４０は、例えば、上記した５個の現像部３０（３０ＮＣ，３０ＮＭ，３０ＮＹ，３０Ｍ，３０Ｙ）に対応して、５個の１次転写ローラ４５（４５ＮＣ，４５ＮＭ，４５ＮＹ，４５Ｍ，４５Ｙ）を含んでいる。また、転写部４０は、１個のバックアップローラ４４に対応して、１個の２次転写ローラ４６を含んでいる。
【００４２】
２次転写ローラ４６は、中間転写ベルト４１に転写されたトナーを媒体Ｍに転写（２次転写）させる。この２次転写ローラ４６は、バックアップローラ４４に圧接されており、例えば、金属製の芯材と、その芯材の外周面を被覆する発泡ゴム層などの弾性層とを含んでいる。なお、２次転写ローラ４６は、中間転写ベルト４１の移動に応じて回転可能である。
【００４３】
クリーニングブレード４７は、中間転写ベルト４１に圧接されており、その中間転写ベルト４１の表面に残留した不要なトナーなどを掻き取る。
【００４４】
［定着部］
定着部５０は、転写部４０により媒体Ｍに転写されたトナーを用いて定着処理を実行する。具体的には、定着部５０は、例えば、転写部４０により媒体Ｍに転写されたトナーを加熱しながら加圧することにより、そのトナーを媒体Ｍに定着させる。
【００４５】
この定着部５０は、例えば、加熱ローラ５１と、加圧ローラ５２とを含んでいる。
【００４６】
加熱ローラ５１は、トナーを加熱する。この加熱ローラ５１は、例えば、中空円筒状の金属芯と、その金属芯の表面を被覆する樹脂コートとを含んでいる。金属芯は、例えば、アルミニウムなどの金属材料のうちのいずれか１種類または２種類以上を含んでいる。樹脂コートは、例えば、例えば、テトラフルオロエチレンとパーフルオロアルキルビニルエーテルとの共重合体（ＰＦＡ）およびポリテトラフルオロエチレン（ＰＴＦＥ）などの高分子材料のうちのいずれか１種類または２種類以上を含んでいる。
【００４７】
加熱ローラ５１（金属芯）の内部には、例えば、ハロゲンランプなどのヒータが設置されている。加熱ローラ５１の表面温度は、例えば、その加熱ローラ５１から離間された位置に配置されているサーミスタにより検出される。
【００４８】
加圧ローラ５２は、加熱ローラ５１に圧接されており、トナーを加圧する。この加圧ローラ５２は、例えば、金属棒などである。金属棒は、例えば、アルミニウムなどの金属材料のうちのいずれか１種類または２種類以上を含んでいる。
【００４９】
［搬送ローラ］
搬送ローラ６１〜６８のそれぞれは、媒体Ｍの搬送経路Ｒ１〜Ｒ５を介して互いに対向するように配置された一対のローラを含んでおり、送り出しローラ２０により取り出された媒体Ｍを搬送させる。
【００５０】
媒体Ｍの片面だけに画像が形成される場合には、その媒体Ｍは、例えば、搬送ローラ６１〜６４により搬送経路Ｒ１，Ｒ２に沿って搬送される。また、媒体Ｍの両面に画像が形成される場合には、その媒体Ｍは、例えば、搬送ローラ６１〜６８により搬送経路Ｒ１〜Ｒ５に沿って搬送される。
【００５１】
［搬送路切り替えガイド］
搬送路切り替えガイド７１，７２は、媒体Ｍに形成される画像の様式（媒体Ｍの片面だけに画像が形成されるか、または媒体Ｍの両面に画像が形成されるか）などの条件に応じて、その媒体Ｍの搬送方向を切り替える。
【００５２】
［他の構成要素］
なお、画像形成装置は、例えば、上記以外の他の構成要素のうちのいずれか１種類または２種類以上を備えていてもよい。他の構成要素は、特に限定されないが、例えば、画像形成装置の全体の動作を制御する制御部や、ユーユーザが画像形成装置を操作するために使用可能である操作パネルなどである。この制御部は、例えば、中央処理装置（ＣＰＵ）などの電子回路を含んでいる。
【００５３】
＜１−３．現像部の構成＞
次に、現像部３０の構成に関して説明する。図２は、図１に示した現像部３０の平面構成を拡大している。
【００５４】
現像部３０ＮＣ，３０ＮＭ，３０ＮＹ，３０Ｍ，３０Ｙのそれぞれは、例えば、図２に示したように、感光体ドラム３１と、帯電ローラ３２と、現像ローラ３３と、供給ローラ３４と、現像ブレード３５と、クリーニングブレード３６と、発光ダイオード（ＬＥＤ）ヘッド３７と、カートリッジ３８とを含んでいる。
【００５５】
［感光体ドラム］
感光体ドラム３１は、例えば、円筒状の導電性支持体と、その導電性支持体の外周面を被覆する光導電層とを含む有機系感光体であり、モータなどの駆動源を介して回転可能である。導電性支持体は、例えば、アルミニウムなどの金属材料のうちのいずれか１種類または２種類以上を含む金属パイプである。光導電層は、例えば、電荷発生層および電荷輸送層などを含む積層体である。
【００５６】
［帯電ローラ］
帯電ローラ３２は、例えば、金属シャフトと、その金属シャフトの外周面を被覆する半導電性エピクロロヒドリンゴム層とを含んでいる。この帯電ローラ３２は、感光体ドラム３１を帯電させるために、その感光体ドラム３１に圧接されている。
【００５７】
［現像ローラ］
現像ローラ３３は、例えば、金属シャフトと、その金属シャフトの外周面を被覆する半導電性ウレタンゴム層とを含んでいる。この現像ローラ３３は、供給ローラ３４から供給されるトナーを担持すると共に、感光体ドラム３１の表面に形成された静電潜像にトナーを付着させる。
【００５８】
［供給ローラ］
供給ローラ３４は、例えば、金属シャフトと、その金属シャフトの外周面を被覆する半導電性発泡シリコンスポンジ層とを含んでいる。この供給ローラ３４は、現像ローラ３３に摺接しながら、感光体ドラム３１の表面にトナーを供給する。
【００５９】
［現像ブレード］
現像ブレード３５は、現像ローラ３３の表面に供給されたトナーの厚さを規制する。この現像ブレード３５は、例えば、現像ローラ３３から所定の距離を隔てた位置に配置されており、その現像ローラ３３と現像ブレード３５との間隔に基づいてトナーの厚さが制御される。また、現像ブレード３５は、例えば、ステンレスなどの金属材料のうちのいずれか１種類または２種類以上を含んでいる。
【００６０】
［クリーニングブレード］
クリーニングブレード３６は、感光体ドラム３１の表面に残留した不要なトナーを掻き取る。このクリーニングブレード３６は、例えば、感光体ドラム３１の延在方向と略平行な方向に延在しており、その感光体ドラム３１に圧接されている。また、クリーニングブレード３６は、例えば、ウレタンゴムなどの高分子材料のうちのいずれか１種類または２種類以上を含んでいる。
【００６１】
［ＬＥＤヘッド］
ＬＥＤヘッド３７は、感光体ドラム３１の表面を露光することにより、その感光体ドラム３１の表面に静電潜像を形成する露光装置であり、例えば、ＬＥＤ素子およびレンズアレイなどを含んでいる。ＬＥＤ素子およびレンズアレイは、そのＬＥＤ素子から出力された光（照射光）が感光体ドラム３１の表面において結像するように配置されている。
【００６２】
［カートリッジ］
カートリッジ３８は、例えば、着脱可能であり、トナーを収納している。カートリッジ３８に収納されているトナーの種類（色）は、例えば、以下の通りである。
【００６３】
ここでは、例えば、発光性トナーは、紫外線光などに応じて蛍光を発生させる蛍光トナーである。これに伴い、現像部３０ＮＣのカートリッジ３８は、例えば、発光性トナーである蛍光シアントナーを収納している。現像部３０ＮＭのカートリッジ３８は、例えば、発光性トナーである蛍光マゼンタトナーを収納している。現像部３０ＮＹのカートリッジ３８は、例えば、発光性トナーである蛍光イエロートナーを収納している。
【００６４】
現像部３０Ｍのカートリッジ３８は、例えば、非発光性トナーであるマゼンタトナーを収納している。現像部３０Ｙのカートリッジ３８は、例えば、非発光性トナーであるイエロートナーを収納している。
【００６５】
発光性トナーである蛍光シアントナー、蛍光マゼンタトナーおよび蛍光イエロートナーは、発光性画像を形成するために用いられる。これに対して、非発光性トナーであるマゼンタトナーおよびイエロートナーは、非発光性画像を形成するために用いられる。
【００６６】
「発光性画像」とは、発光性トナーを用いて形成されることから明らかなように、その発光性トナーを利用して可視光を発生する画像である。これに対して、「非発光性画像」とは、非発光性トナーを用いて形成されることから明らかなように、上記した発光性画像とは異なり、不可視光などの光を受けても可視光を発生しない画像であり、いわゆる通常画像である。
【００６７】
＜１−４．トナーの構成＞
次に、トナーの構成に関して説明する。
【００６８】
［トナーの種類］
ここでは、例えば、上記したように、５種類のトナーを用いている。具体的には、例えば、３種類の発光性トナー（蛍光シアントナー、蛍光マゼンタトナーおよび蛍光イエロートナー）と、２種類の非発光性トナー（マゼンタトナーおよびイエロートナー）とを用いている。
【００６９】
発光性トナーが３種類であるのに対して、非発光性トナーが２種類であるのは、例えば、後述するように、蛍光マゼンタトナーおよび蛍光イエロートナーのそれぞれは退色しやすいのに対して、蛍光シアントナーは退色しにくいからである。
【００７０】
詳細には、発光性トナーである蛍光マゼンタトナーは、本質的に退色しやすい性質を有している。これに伴い、マゼンタ色の画像を形成する場合には、蛍光マゼンタトナーを用いてマゼンタ色の発光性画像を形成するだけでなく、非発光性トナーであるマゼンタトナーを用いてマゼンタ色の非発光性画像を形成することにより、その画像中のマゼンタ色を補填することが好ましい。よって、マゼンタ色の画像を形成するために、発光性トナーである蛍光マゼンタトナーと、非発光性トナーであるマゼンタトナーとを併用している。
【００７１】
同様に、発光性トナーである蛍光イエロートナーは、本質的に退色しやすい性質を有している。これに伴い、イエロー色の画像を形成する場合には、蛍光イエロートナーを用いてイエロー色の発光性画像を形成するだけでなく、非発光性トナーであるイエロートナーを用いてイエロー色の非発光性画像を形成することにより、その画像中のイエロー色を補填することが好ましい。よって、イエロー色の画像を形成するために、発光性トナーである蛍光イエロートナーと、非発光性トナーであるイエロートナーとを併用している。
【００７２】
これに対して、発光性トナーである蛍光シアントナーは、本質的に退色しにくい性質を有している。これに伴い、シアン色の画像を形成する場合には、蛍光シアントナーを用いてシアン色の発光性画像を形成すれば十分であるため、非発光性トナーであるシアントナーを用いて画像中のシアン色を補填しなくてもよい。よって、シアン色の画像を形成するために、非発光性トナーであるシアントナーを用いずに、発光性トナーである蛍光シアントナーだけを用いている。
【００７３】
ここで説明するトナーは、例えば、一成分現像方式のトナーであり、より具体的には、負帯電のトナーである、
【００７４】
一成分現像方式とは、トナーに電荷を付与するためのキャリア（磁性粒子）を用いずに、そのトナー自身に適切な帯電量を付与する方式である。これに対して、二成分現像方式とは、上記したキャリアとトナーとを混合することにより、そのキャリアとトナーとの摩擦を利用してトナーに適切な帯電量を付与する方式である。
【００７５】
［蛍光シアントナー］
蛍光シアントナーは、例えば、シアン着色剤および蛍光増白剤を含んでいる。ただし、蛍光シアントナーは、上記したシアン着色剤および蛍光増白剤と共に、他の材料のうちのいずれか１種類または２種類以上を含んでいてもよい。
【００７６】
シアン着色剤は、例えば、シアン顔料およびシアン染料（色素）などのうちのいずれか１種類または２種類以上を含んでいる。シアン顔料は、例えば、フタロシアニンブルー（Ｃ．Ｉ．Ｐｉｇｍｅｎｔ  Ｂｌｕｅ  １５：３）などである。シアン染料は、例えば、ピグメントブルー１５：３などである。シアン着色剤の含有量は、特に限定されないが、例えば、後述する結着剤の含有量（１００重量部）に対して２重量部〜２５重量部、好ましくは２重量部〜１５重量部である。
【００７７】
蛍光増白剤は、例えば、スチルベン系化合物、クマリン系化合物およびビフェニル系化合物などのうちのいずれか１種類または２種類以上を含んでいる。蛍光増白剤の含有量は、特に限定されないが、例えば、後述する結着剤の含有量（１００重量部）に対して２重量部〜２５重量部、好ましくは２重量部〜１５重量部である。
【００７８】
他の材料の種類は、特に限定されないが、例えば、結着剤、外添剤、離型剤および帯電制御剤などである。
【００７９】
結着剤は、主に、蛍光シアン着色剤などを結着させる。この結着剤は、例えば、ポリエステル系樹脂、スチレン−アクリル系樹脂、エポキシ系樹脂およびスチレン−ブタジエン系樹脂などの高分子化合物のうちのいずれか１種類または２種類以上を含んでいる。
【００８０】
中でも、結着剤は、ポリエステル系樹脂を含んでいることが好ましい。ポリエステル系樹脂は、紙などの媒体Ｍに対して高い親和性を有するため、結着剤としてポリエステル系樹脂を含むトナーは、媒体Ｍに定着しやすくなるからである。また、ポリエステル系樹脂は、比較的分子量が小さい場合においても高い物理的強度を有するため、結着剤としてポリエステル系樹脂を含むトナーは、優れた耐久性を有するからである。
【００８１】
このポリエステル系樹脂は、例えば、１または２以上のアルコールと１または２以上のカルボン酸との反応物（縮重合体）である。
【００８２】
アルコールの種類は、特に限定されないが、中でも、２価以上のアルコールおよびその誘導体などであることが好ましい。この２価以上のアルコールは、例えば、エチレングリコール、ジエチレングリコール、トリエチレングリコール、ポリエチレングリコール、プロピレングリコール、ブタンジオール、ペンタンジオール、ヘキサンジオール、シクロヘキサンジメタノール、キシレングリコール、ジプロピレングリコール、ポリプロピレングリコール、ビスフェノールＡ、水添ビスフェノールＡ、ビスフェノールＡエチレンオキサイド、ビスフェノールＡプロピレンオキサイド、ソルビトールおよびグリセリンなどである。
【００８３】
カルボン酸の種類は、特に限定されないが、中でも、２価以上のカルボン酸およびその誘導体などであることが好ましい。この２価以上のカルボン酸は、例えば、マレイン酸、フマール酸、フタル酸、イソフタル酸、テレフタル酸、コハク酸、アジピン酸、トリメリット酸、ピロメリット酸、シクロペンタンジカルボン酸、無水コハク酸、無水トリメリット酸、無水マレイン酸およびドデセニル無水コハク酸などである。
【００８４】
外添剤は、主に、蛍光シアントナー同士の凝集などを抑制することにより、その蛍光シアントナーの流動性を向上させる。この外添剤は、例えば、無機材料および有機材料などのうちのいずれか１種類または２種類以上を含んでいる。無機材料は、例えば、疎水性シリカなどである。有機材料は、例えば、メラミン樹脂などである。外添剤の含有量は、特に限定されないが、例えば、結着剤の含有量（１００重量部）に対して０．０１重量部〜１０重量部、好ましくは０．０５重量部〜８重量部である。
【００８５】
離型剤は、主に、蛍光シアントナーの定着性および耐オフセット性などを向上させる。この離型剤は、例えば、脂肪族炭化水素系ワックス、脂肪族炭化水素系ワックスの酸化物、脂肪酸エステル系ワックス、脂肪酸エステル系ワックスの脱酸化物などのワックスのうちのいずれか１種類または２種類以上を含んでいる。この他、離型剤は、例えば、上記した一連のワックスのブロック共重合物などでもよい。離型剤の含有量は、特に限定されないが、例えば、結着剤の含有量（１００重量部）に対して０．１重量部〜２０重量部、好ましくは０．５重量部〜１２重量部である。
【００８６】
脂肪族炭化水素系ワックスは、例えば、低分子量ポリエチレン、低分子量ポリプロピレン、オレフィンの共重合物、マイクロクリスタリンワックス、パラフィンワックスおよびフィッシャートロプシュワックスなどである。脂肪族炭化水素系ワックスの酸化物は、例えば、酸化ポリエチレンワックスなどである。脂肪酸エステル系ワックスは、例えば、カルナバワックスおよびモンタン酸エステルワックスなどである。脂肪酸エステル系ワックスの脱酸化物は、その脂肪酸エステル系ワックスのうちの一部または全部が脱酸化されたワックスであり、例えば、脱酸カルナバワックスなどである。
【００８７】
帯電制御剤は、主に、蛍光シアントナーの摩擦帯電性などを制御する。負帯電のトナーに用いられる帯電制御剤は、例えば、アゾ系錯体、サリチル酸系錯体およびカリックスアレン系錯体などのうちのいずれか１種類または２種類以上を含んでいる。帯電制御剤の含有量は、特に限定されないが、例えば、結着剤の含有量（１００重量部）に対して０．０５重量部〜１５重量部である。
【００８８】
［蛍光マゼンタトナー］
蛍光マゼンタトナーは、例えば、シアン着色剤に代えて、マゼンタ着色剤および蛍光マゼンタ着色剤のうちの一方または双方を含んでいることを除いて、蛍光シアントナーとほぼ同様の構成を有している。
【００８９】
マゼンタ着色剤は、例えば、マゼンタ顔料およびマゼンタ染料（色素）などのうちのいずれか１種類または２種類以上を含んでいる。マゼンタ顔料は、例えば、キナクリドンなどである。マゼンタ染料は、例えば、Ｃ．Ｉ．ピグメントレッド２３８などである。
【００９０】
蛍光着色剤である蛍光マゼンタ着色剤は、例えば、蛍光マゼンタ顔料および蛍光マゼンタ染料（色素）などのうちのいずれか１種類または２種類以上を含んでいる。この蛍光マゼンタ着色剤は、例えば、シンロイヒ株式会社製の蛍光着色剤（ＳＸ−１００シリーズまたはＳＸ−１０００シリーズ）などである。
【００９１】
なお、蛍光マゼンタトナーが蛍光マゼンタ着色剤を含んでいる場合には、その蛍光マゼンタ着色剤により蛍光性が発揮されるため、その蛍光マゼンタトナーは蛍光増白剤を含んでいなくてもよい。一方、蛍光マゼンタトナーがマゼンタ着色剤を含んでいる場合には、蛍光性を確保するために、その蛍光マゼンタトナーは蛍光増白剤を含んでいてもよい。
【００９２】
［蛍光イエロートナー］
蛍光イエロートナーは、例えば、シアン着色剤に代えて、イエロー着色剤および蛍光イエロー着色剤のうちの一方または双方を含んでいることを除いて、蛍光シアントナーとほぼ同様の構成を有している。
【００９３】
イエロー着色剤は、例えば、イエロー顔料およびイエロー染料（色素）などのうちのいずれか１種類または２種類以上を含んでいる。イエロー顔料は、例えば、ピグメントイエロー７４などである。イエロー染料は、例えば、Ｃ．Ｉ．ピグメントイエロー７４およびカドミウムイエローなどである。
【００９４】
蛍光着色剤である蛍光イエロー着色剤は、例えば、蛍光イエロー顔料および蛍光イエロー染料（色素）などのうちのいずれか１種類または２種類以上を含んでいる。この蛍光イエロー着色剤は、例えば、シンロイヒ株式会社製の蛍光着色剤（ＳＸ−１００シリーズまたはＳＸ−１０００シリーズ）などである。
【００９５】
なお、蛍光イエロートナーが蛍光イエロー着色剤を含んでいる場合には、その蛍光イエロー着色剤により蛍光性が発揮されるため、その蛍光イエロートナーは蛍光増白剤を含んでいなくてもよい。一方、蛍光イエロートナーがイエロー着色剤を含んでいる場合には、蛍光性を確保するために、その蛍光イエロートナーは蛍光増白剤を含んでいてもよい。
【００９６】
［マゼンタトナー］
マゼンタトナーは、例えば、蛍光マゼンタ着色剤を含んでおらずにマゼンタ着色剤を含んでいると共に、蛍光増白剤を含んでいないことを除いて、蛍光マゼンタトナーと同様の構成を有している。ただし、マゼンタトナーに含まれているマゼンタ着色剤と蛍光マゼンタトナーに含まれているマゼンタ着色剤とは、同じ種類でもよいし、異なる種類でもよい。
【００９７】
［イエロートナー］
イエロートナーは、例えば、蛍光イエロー着色剤を含んでおらずにイエロー着色剤を含んでいると共に、蛍光増白剤を含んでいないことを除いて、蛍光イエロートナーと同様の構成を有している。ただし、イエロートナーに含まれているイエロー着色剤と蛍光イエロートナーに含まれているイエロー着色剤とは、同じ種類でもよいし、異なる種類でもよい。
【００９８】
なお、トナーの製造方法は、特に限定されない。この製造方法は、例えば、粉砕法でもよいし、重合法でもよいし、それら以外の方法でもよい。もちろん、上記した製造方法のうちの２種類以上を併用してもよい。重合法は、例えば、溶解懸濁法などである。
【００９９】
＜１−５．動作＞
次に、画像形成装置の動作に関して説明する。
【０１００】
図３は、画像形成装置の動作を説明するための流れを表している。図４および図５のそれぞれは、画像形成装置により形成される画像の構成を説明するために、媒体Ｍの断面構成を表している。図４では、発光性トナーＮＴだけを用いて画像（発光性画像ＮＧ）が形成された場合を示していると共に、図５では、発光性トナーＮＴと共に非発光性トナーＴを用いて画像（発光性画像ＮＧおよび非発光性画像Ｇ）が形成された場合を示している。
【０１０１】
以下では、画像形成装置が通常モードまたは耐光性ＵＰモードの画像形成動作を行うと共に、その耐光性ＵＰモードが２段階の画像形成モード（耐光性ＵＰモード１，２）を含んでいる場合を例に挙げる。以下で説明する括弧書きのステップ番号は、図３に示したステップ番号に対応している。
【０１０２】
［モードの選択］
画像の形成前において、ユーザは、例えば、画像形成装置に搭載されている操作パネルを操作することにより、画像形成モードとして耐光性ＵＰモードを用いるか否かを選択する（ステップＳ１０１）。
【０１０３】
［通常モードの画像形成］
ユーザが耐光性ＵＰモードを選択しなかった場合（ステップＳ１０１Ｎ）には、画像形成装置は、画像データＤに基づいて通常モードの画像形成動作を行うことにより、画像を形成する（ステップＳ１０２）。この画像データＤは、画像形成装置が画像を形成するために用いるデータであり、例えば、外部の端末装置などから画像形成装置に供給される。外部の端末装置は、例えば、ユーザが使用可能であるパーソナルコンピュータなどである。
【０１０４】
具体的には、画像形成装置は、例えば、以下で説明するように、画像データＤに基づいて発光性トナーだけを用いて画像形成処理（現像処理、１次転写処理、２次転写処理および定着処理）を行うと共に、必要に応じてクリーニング処理を行う。
【０１０５】
（現像処理）
トレイ１０に収納された媒体Ｍは、送り出しローラ２０により取り出される。この送り出しローラ２０により取り出された媒体Ｍは、搬送ローラ６１，６２により搬送経路Ｒ１に沿って矢印Ｆ１の方向に搬送される。
【０１０６】
現像処理では、現像部３０ＮＣにおいて、感光体ドラム３１が回転すると、帯電ローラ３２が回転しながら感光体ドラム３１の表面に直流電圧を印加する。これにより、感光体ドラム３１の表面が均一に帯電する。
【０１０７】
続いて、画像データＤに基づいて、ＬＥＤヘッド３７が感光体ドラム３１の表面に光を照射する。これにより、感光体ドラム３１の表面では、光の照射部分において表面電位が減衰（光減衰）するため、その感光体ドラム３１の表面に静電潜像が形成される。
【０１０８】
一方、現像部３０ＮＣでは、カートリッジ３８に収納されている発光性トナーＮＴ（蛍光シアントナー）が供給ローラ３４に向けて放出される。
【０１０９】
供給ローラ３４に電圧が印加されたのち、その供給ローラ３４が回転する。これにより、カートリッジ３８から蛍光シアントナーが供給ローラ３４の表面に供給される。
【０１１０】
現像ローラ３３に電圧が印加されたのち、その現像ローラ３３が供給ローラ３４に圧接されながら回転する。これにより、供給ローラ３４の表面に供給された蛍光シアントナーが現像ローラ３３の表面に吸着するため、その蛍光シアントナーが現像ローラ３３の回転を利用して搬送される。この場合には、現像ローラ３３の表面に吸着されている蛍光シアントナーの一部が現像ブレード３５により除去されるため、その現像ローラ３３の表面に吸着された蛍光シアントナーの厚さが均一化される。
【０１１１】
現像ローラ３３に圧接されながら感光体ドラム３１が回転したのち、その現像ローラ３３の表面に吸着されていた蛍光シアントナーが感光体ドラム３１の表面に移行する。これにより、感光体ドラム３１の表面（静電潜像）に蛍光シアントナーが付着する。
【０１１２】
（１次転写処理）
転写部４０において、駆動ローラ４２が回転すると、その駆動ローラ４２の回転に応じて従動ローラ４３およびバックアップローラ４４が回転する。これにより、中間転写ベルト４１が矢印Ｆ５の方向に移動する。
【０１１３】
１次転写処理では、１次転写ローラ４５ＮＣに電圧が印加されている。この１次転写ローラ４５ＮＣは、中間転写ベルト４１を介して感光体ドラム３１に圧接されているため、上記した現像処理において感光体ドラム３１の表面（静電潜像）に付着された蛍光シアントナーは、中間転写ベルト４１の表面に転写される。
【０１１４】
こののち、蛍光シアントナーが転写された中間転写ベルト４１は、引き続き矢印Ｆ５の方向に移動する。これにより、現像部３０ＮＭ，３０ＮＹおよび１次転写ローラ４５ＮＭ，４５ＮＹにおいて、上記した現像部３０ＮＣおよび１次転写ローラ４５ＮＣと同様の手順により現像処理および１次転写処理が行われる。よって、中間転写ベルト４１の表面に他の発光性トナーＮＴ（蛍光マゼンタトナーおよび蛍光イエロートナー）が転写される。
【０１１５】
具体的には、現像部３０ＮＭおよび１次転写ローラ４５ＮＭにより、中間転写ベルト４１の表面に蛍光マゼンタトナーが転写される。続いて、現像部３０ＮＹおよび１次転写ローラ４５ＮＹにより、中間転写ベルト４１の表面に蛍光イエロートナーが転写される。
【０１１６】
もちろん、実際に現像部３０ＮＣ，３０ＮＭ，３０ＮＹおよび１次転写ローラ４５ＮＣ，４５ＮＭ，４５ＮＹのそれぞれにおいて現像処理および１次転写処理が行われるかどうかは、画像を形成するために必要な色（色の組み合わせ）に応じて決定される。
【０１１７】
（２次転写処理）
搬送経路Ｒ１に沿って搬送される媒体Ｍは、バックアップローラ４４と２次転写ローラ４６との間を通過する。
【０１１８】
２次転写処理では、２次転写ローラ４６に電圧が印加されている。この２次転写ローラ４６は、媒体Ｍを介してバックアップローラ４４に圧接されるため、上記した１次転写処理において中間転写ベルト４１に転写された発光性トナーＮＴは、媒体Ｍに転写される。
【０１１９】
（定着処理）
２次転写処理において媒体Ｍに発光性トナーＮＴが転写されたのち、その媒体Ｍは、引き続き搬送経路Ｒ１に沿って矢印Ｆ１の方向に搬送されるため、定着部５０に投入される。
【０１２０】
定着処理では、加熱ローラ５１の表面温度が所定の温度となるように制御されている。加熱ローラ５１に圧接されながら加圧ローラ５２が回転すると、その加熱ローラ５１と加圧ローラ５２との間を通過するように媒体Ｍが搬送される。
【０１２１】
これにより、媒体Ｍの表面に転写された発光性トナーＮＴが加熱されるため、その発光性トナーＮＴが溶融する。しかも、溶融状態である発光性トナーＮＴが媒体Ｍに圧接されるため、その発光性トナーＮＴが媒体Ｍに強固に付着する。
【０１２２】
よって、図４に示したように、画像データＤに応じて、媒体Ｍの表面のうちの特定の領域に特定のパターンとなるように発光性トナーＮＴが定着するため、画像（発光性画像Ｇ）が形成される。
【０１２３】
画像が形成された媒体Ｍは、搬送経路Ｒ２に沿って搬送ローラ６３，６４により矢印Ｆ２の方向に搬送される。これにより、媒体Ｍは、排出口１Ｈからスタッカ部２に排出される。
【０１２４】
なお、媒体Ｍの搬送手順は、その媒体Ｍの表面に形成される画像の様式に応じて変更される。
【０１２５】
例えば、媒体Ｍの両面に画像が形成される場合には、定着部５０を通過した媒体Ｍは、搬送経路Ｒ３〜Ｒ５に沿って搬送ローラ６５〜６８により矢印Ｆ３，Ｆ４の方向に搬送されたのち、搬送経路Ｒ１に沿って搬送ローラ６１，６２により再び矢印Ｆ１の方向に搬送される。この場合において、媒体Ｍが搬送される方向は、搬送路切り替えガイド７１，７２により制御される。これにより、媒体Ｍの裏面（未だ画像が形成されていない面）において、画像形成処理（現像処理、１次転写処理、２次転写処理および定着処理）が行われる。
【０１２６】
（クリーニング処理）
現像部３０ＮＣ，３０ＮＭ，３０ＮＹのそれぞれでは、感光体ドラム３１の表面に不要な発光性トナーＮＴが残留する場合がある。この不要な発光性トナーＮＴは、例えば、１次転写処理において用いられた発光性トナーＮＴの一部であり、中間転写ベルト４１に転写されずに感光体ドラム３１の表面に残留した発光性トナーＮＴなどである。
【０１２７】
そこで、現像部３０ＮＣ，３０ＮＭ，３０ＮＹのそれぞれでは、クリーニングブレード３６に圧接されている状態において感光体ドラム３１が回転するため、その感光体ドラム３１の表面に残留している発光性トナーＮＴがクリーニングブレード３６により掻き取られる。これにより、感光体ドラム３１の表面から不要な発光性トナーＮＴが除去される。
【０１２８】
また、転写部４０では、１次転写処理において中間転写ベルト４１の表面に移行した発光性トナーＮＴの一部が２次転写処理において媒体Ｍの表面に移行されずに、その中間転写ベルト４１の表面に残留する場合がある。
【０１２９】
そこで、転写部４０では、中間転写ベルト４１が矢印Ｆ５の方向に移動する際に、その中間転写ベルト４１の表面に残留した発光性トナーＮＴがクリーニングブレード４７により掻き取られる。これにより、中間転写ベルト４１の表面から不要な発光性トナーＮＴが除去される。
【０１３０】
これにより、ユーザにより通常モードが選択された場合における画像形成装置の画像形成動作が完了する。
【０１３１】
［耐光性ＵＰモード１，２の選択］
一方、ユーザが耐光性ＵＰモードを選択した場合（ステップＳ１０１Ｙ）には、そのユーザは、例えば、さらに操作パネルを操作することにより、耐光性ＵＰモード１を用いるか否かを選択する（ステップＳ１０３）。
【０１３２】
ここでは、例えば、ユーザは、上記したように、２段階の耐光性ＵＰモード（耐光性ＵＰモード１，２）のうちのいずれかを選択可能である。耐光性ＵＰモード１は、通常モードよりも優れた耐光性が得られる画像形成モードであり、耐光性ＵＰモード２は、耐光性ＵＰモード１よりも優れた耐光性が得られる画像形成モードである。
【０１３３】
［耐光性ＵＰモード１の画像形成］
ユーザが耐光性ＵＰモード１を選択した場合（ステップＳ１０３Ｙ）には、画像形成装置は、画像データＤに基づいて耐光性ＵＰモード１の画像形成動作を行うことにより、画像を形成する（ステップＳ１０４，Ｓ１０２）。
【０１３４】
具体的には、まず、画像形成装置は、非発光性トナーＴ（蛍光シアントナー）および発光性トナーＮＴ（マゼンタトナーおよびイエロートナー）を用いて、画像データＤに基づいて画像形成処理（現像処理、１次転写処理、２次転写処理および定着処理）を行う。
【０１３５】
ここで説明した非発光性トナーＴを用いた現像処理、１次転写処理、転写処理および定着処理のそれぞれの内容は、発光性トナーＮＴに代えて非発光性トナーＴを用いることを除いて、上記した発光性トナーＮＴを用いた現像処理、１次転写処理、転写処理および定着処理のそれぞれの内容と同様である。この非発光性トナーＴを用いた現像処理では、感光体ドラム３１の表面に第１潜像である静電潜像が形成されると共に、その静電潜像に非発光性トナーＴが付着される。
【０１３６】
もちろん、画像形成装置は、必要に応じてクリーニング処理を行ってもよい。非発光性トナーＴを用いたクリーニング処理の内容は、発光性トナーＮＴに代えて非発光性トナーＴを用いることを除いて、上記した発光性トナーＮＴを用いたクリーニング処理の内容と同様である。
【０１３７】
これにより、図５に示したように、画像データＤに応じて、媒体Ｍの表面のうちの特定の領域に特定のパターンとなるように非発光性トナーＴおよび発光性トナーＴが定着するため、非発光性画像Ｇが形成される（ステップＳ１０４）。この非発光性画像Ｇは、上記した現像処理により静電潜像に付着された非発光性トナーＴに基づいて形成される。
【０１３８】
非発光性画像Ｇの印字率は、例えば、媒体Ｍの表面に対する非発光性トナーＴおよび発光性トナーＮＴのそれぞれの供給量、より具体的には感光体ドラム３１の表面（静電潜像）に対する非発光性トナーＴおよび発光性トナーＮＴのそれぞれの付着量などに応じて、任意に設定可能である。ここでは、例えば、耐光性ＵＰモード１における非発光性画像Ｇの印字率は、３０％である。
【０１３９】
続いて、画像形成装置は、発光性トナーＴ（蛍光シアントナー、蛍光マゼンタトナーおよび蛍光イエロートナー）を用いて、再び画像データＤに基づいて画像形成処理（現像処理、１次転写処理、２次転写処理および定着処理）を行う。
【０１４０】
すなわち、画像形成装置が発光性トナーＮＴを用いて画像形成処理を行うために用いる画像データＤは、その画像形成装置が先に非発光性トナーＴを用いて画像形成処理を行うために用いた画像データＤと同じである。
【０１４１】
耐光性ＵＰモード１における発光性トナーＮＴを用いた現像処理、１次転写処理、転写処理および定着処理のそれぞれの内容は、上記した通常モードにおける発光性トナーＮＴを用いた現像処理、１次転写処理、転写処理および定着処理のそれぞれの内容と同様である。この発光性トナーＮＴを用いた現像処理では、感光体ドラム３１の表面に第２潜像である静電潜像が形成されると共に、その静電潜像に発光性トナーＮＴが付着される。
【０１４２】
もちろん、画像形成装置は、必要に応じてクリーニング処理を行ってもよい。耐光性ＵＰモード１における発光性トナーＴを用いたクリーニング処理の内容は、上記した通常モードにおける発光性トナーＮＴを用いたクリーニング処理の内容と同様である。
【０１４３】
これにより、図５に示したように、画像データＤに応じて、媒体Ｍの表面のうちの特定の領域に特定のパターンとなるように発光性トナーＴが定着するため、発光性画像ＮＧが形成される（ステップＳ１０２）。この発光性画像ＮＧは、上記した現像処理により静電潜像に付着された発光性トナーＮＴに基づいて形成される。よって、非発光性画像Ｇおよび発光性画像ＮＧを含む画像が形成される。
【０１４４】
この場合には、非発光性画像Ｇおよび発光性画像ＮＧのそれぞれを形成するために、共通する画像データＤが用いられる。これにより、媒体Ｍの表面では、既に非発光性トナーＴが定着されていた領域と同じ領域において発光性トナーＮＴが定着されるため、非発光性画像Ｇとほぼ重なるように発光性画像ＮＧが形成される。
【０１４５】
また、非発光性画像Ｇおよび発光性画像ＮＧのそれぞれを形成するために、定着部５０は、例えば、非発光性トナーＴおよび発光性トナーＮＴを別個の工程において媒体Ｍに定着させる。すなわち、定着部５０は、例えば、先の定着工程において非発光性トナーＴを媒体Ｍに定着させたのち、後の定着工程において発光性トナーＮＴを媒体Ｍに定着させる。
【０１４６】
発光性画像ＮＧの印字率は、例えば、媒体Ｍの表面に対する発光性トナーＮＴの供給量、より具体的には感光体ドラム３１の表面（静電潜像）に対する発光性トナーＮＴの付着量などに応じて、任意に設定可能である。ここでは、例えば、耐光性ＵＰモード１における発光性画像ＮＧの印字率は、１００％である。
【０１４７】
なお、媒体Ｍの片面に非発光性画像Ｇおよび発光性画像ＮＧを形成するために、定着部５０を通過した媒体Ｍは、搬送経路Ｒ３，Ｒ５に沿って搬送ローラ６５〜６７により矢印Ｆ３，Ｆ４の方向に搬送されたのち、搬送経路Ｒ１に沿って搬送ローラ６１，６２により再び矢印Ｆ１の方向に搬送される。この場合において、媒体Ｍが搬送される方向は、搬送路切り替えガイド７１，７２により制御される。これにより、媒体Ｍの表面に非発光性画像Ｇを形成したのち、その非発光性画像Ｇの上に発光性画像ＮＧを形成可能になる。
【０１４８】
これにより、ユーザにより耐光性ＵＰモード１が選択された場合における画像形成装置の画像形成動作が完了する。
【０１４９】
［耐光性ＵＰモード２の画像形成］
一方、ユーザが耐光性ＵＰモード１を選択しなかった場合（ステップＳ１０３Ｎ）には、画像形成装置は、画像データＤに基づいて耐光性ＵＰモード２の画像形成動作を行うことにより、画像を形成する（ステップＳ１０５，Ｓ１０２）。
【０１５０】
具体的には、まず、画像形成装置は、印字率が異なることを除いて、耐光性ＵＰモード１における非発光性画像Ｇの形成動作と同様の動作を行うことにより、図５に示したように、画像データＤに基づいて非発光性画像Ｇを形成する（ステップＳ１０５）。
【０１５１】
耐光性ＵＰモード２における非発光性画像Ｇの印字率は、耐光性ＵＰモード１における非発光性画像Ｇの印字率よりも高ければ、特に限定されないが、例えば、５０％である。
【０１５２】
続いて、画像形成装置は、耐光性ＵＰモード１における発光性画像ＮＧの形成動作と同様の動作を行うことにより、図５に示したように、画像データＤに基づいて非発光性画像Ｇの上に発光性画像ＮＧを形成する（ステップＳ１０２）。すなわち、画像形成装置が発光性トナーＮＴを用いて画像形成処理を行うために用いる画像データＤは、その画像形成装置が先に非発光性トナーＴを用いて画像形成処理を行うために用いた画像データＤと同じである。よって、非発光性画像Ｇおよび発光性画像ＮＧを含む画像が形成される。
【０１５３】
この場合においても、非発光性画像Ｇおよび発光性画像ＮＧのそれぞれを形成するために共通する画像データＤが用いられることにより、非発光性画像Ｇとほぼ重なるように発光性画像ＮＧが形成される。
【０１５４】
耐光性ＵＰモード２における発光性画像ＮＧの印字率は、耐光性ＵＰモード１における発光性画像ＮＧの印字率と同様に特に限定されないが、例えば、１００％である。
【０１５５】
なお、媒体Ｍの片面に非発光性画像Ｇおよび発光性画像ＮＧを形成するために、定着部５０を通過した媒体Ｍは、耐光性ＵＰモード１における媒体Ｍの搬送手順と同様の手順により、搬送経路Ｒ３，Ｒ５に沿って搬送ローラ６５〜６７により矢印Ｆ３，Ｆ４の方向に搬送されたのち、搬送経路Ｒ１に沿って搬送ローラ６１，６２により再び矢印Ｆ１の方向に搬送される。
【０１５６】
これにより、ユーザにより耐光性ＵＰモード２が選択された場合における画像形成装置の画像形成動作が完了する。
【０１５７】
＜１−６．作用および効果＞
この画像形成装置では、画像データＤに基づいて形成された静電潜像に対して非発光性トナーＴを付着させると共に、その画像データＤに基づいて形成された静電潜像に対して発光性トナーＮＴを付着させたのち、それらの非発光性トナーＴおよび発光性トナーＮＴを媒体Ｍに転写および定着させている。よって、以下で説明する理由により、高品質な画像を得ることができる。
【０１５８】
図４に示したように、媒体Ｍの表面に画像を形成するために、発光性トナーＮＴを用いて発光性画像ＮＧだけを形成した場合には、ユーザは、発光性を有する所望の画像を得ることができる。
【０１５９】
しかしながら、発光性トナーＮＴは、上記したように、発光性を利用して優れた質感などを発揮できる反面、本質的に退色しやすい性質を有している。これに伴い、画像が発光性画像ＮＧだけにより形成されていると、発光性トナーＮＴの退色に起因して発色濃度が低下すると共に輪郭が不鮮明になるため、画質が低下しやすくなる。これにより、発光性トナーＮＴの退色後には、単に発光性が失われるだけでなく、媒体Ｍの表面に形成されていた画像の内容が本来はどのような内容であったのかを認識しにくくなる。
【０１６０】
よって、画像の内容維持の観点において、高品質な画像を得ることが困難である。
【０１６１】
これに対して、図５に示したように、媒体Ｍの表面に画像を形成するために、非発光性トナーＴを用いて非発光性画像Ｇを形成すると共に、発光性トナーＮＴを用いて非発光性画像Ｇと重なるように発光性画像ＮＧを形成した場合には、ユーザは、発光性を有する所望の画像を得ることができる。
【０１６２】
しかも、非発光性トナーＮＴは、上記したように、発光性トナーＴとは異なり、本質的に退色しにくい性質を有している。これに伴い、画像が非発光性画像Ｇおよび発光性画像ＮＧにより形成されている場合には、発光性トナーＮＴの退色に起因して発光性画像ＮＧでは発色濃度が低下すると共に輪郭が不鮮明になっても、非発光性画像Ｇでは発色濃度が低下しにくいと共に輪郭が不鮮明になりにくいため、画像全体の画質が低下しにくくなる。これにより、発光性トナーＮＴの退色後には、発光性が失われたとしても、非発光性画像Ｇに基づいて、媒体Ｍの表面に形成されていた画像の内容が本来はどのような内容であったのかを認識しやすくなる。
【０１６３】
特に、非発光性トナーＴおよび発光性トナーＮＴは、共通する画像データＤに基づいて媒体Ｍに定着されるため、その媒体Ｍの表面では、非発光性トナーＴの定着領域と発光性トナーＮＴの定着領域とが互いにほぼ重なる。この場合には、非発光性トナーＴと発光性トナーＮＴとの位置ずれに起因する色ずれが十分に抑制されるため、その色ずれに起因して画像の画質が低下することは抑制される。
【０１６４】
よって、画像の内容維持の観点において、高品質な画像を得ることができる。
【０１６５】
この他、上記した画像形成装置では、以下の利点も得られる。
【０１６６】
第１に、非発光性画像Ｇおよび発光性画像ＮＧのそれぞれを形成するために、定着部５０は、非発光性トナーＴおよび発光性トナーＮＴを別個の工程において媒体Ｍに定着させている。すなわち、画像形成装置は、非発光性トナーＴを用いて画像形成処理（現像処理、１次転写処理、２次転写処理および定着処理）を行うことにより非発光性画像Ｇを形成したのち、発光性トナーＮＴを用いて画像形成処理を行うことにより発光性画像ＮＧを形成している。
【０１６７】
この場合には、発光性画像ＮＧを形成する前に非発光性トナーＴの定着処理が既に完了しているため、その非発光性トナーＴが既に媒体Ｍに対して強固に密着している。これにより、発光性画像ＮＧを形成する前に非発光性トナーＴの定着処理が未だ完了していない場合と比較して、その非発光性トナーＴが画像の品質に悪影響を与えにくくなる。
【０１６８】
詳細には、非発光性トナーＴの定着処理が未だ完了していない状態では、その非発光性トナーＴが媒体Ｍに対して強固に密着されていないため、媒体Ｍから非発光性トナーＴが脱落しやすくなると共に、その媒体Ｍの上において非発光性トナーＴが本来の定着位置から他の位置に移動しやすくなる。これにより、非発光性画像Ｇでは発色濃度が低下すると共に輪郭が不鮮明になる可能性があるため、画質が低下しやすくなる。これに対して、非発光性トナーＴの定着処理が既に完了している状態では、その非発光性トナーＴが媒体Ｍに対して強固に密着されているため、媒体Ｍから非発光性トナーＴが脱落しにくくなると共に、その媒体Ｍの上において非発光性トナーＴが本来の定着位置から他の位置に移動しにくくなる。これにより、非発光性画像Ｇでは発色濃度が低下しにくくなると共に輪郭が不鮮明になりにくくなるため、画質が低下しにくくなる。
【０１６９】
よって、定着部５０が非発光性トナーＴおよび発光性トナーＮＴを別個の工程において媒体Ｍに定着させれば、画像の品質がより向上するため、より高い効果を得ることができる。
【０１７０】
第２に、発光性トナーが蛍光着色剤および蛍光増白剤のうちの一方または双方を含んでいれば、その発光性トナーの発光性を利用して高品質な蛍光性画像を形成できる。
【０１７１】
第３に、蛍光シアントナーが本質的に退色しにくい傾向にあることを利用して、２種類の非発光性トナー（イエロートナーおよびマゼンタトナー）を用いると共に、３種類の発光性トナー（蛍光イエロートナー、蛍光マゼンタトナーおよび蛍光シアントナー）を用いれば、非発光性トナーであるシアントナーを用いなくてもよいため、画像を形成するために用いられるトナーの種類が減少する。よって、シアントナーを収納した現像部３０を用いなくてもよいため、画像形成装置の構成を簡素化できると共に、画像を容易に形成できる。
【０１７２】
＜２．変形例＞
画像形成装置の構成および画像形成装置により形成される画像の構成は、以下で説明するように、適宜変更可能である。
【０１７３】
［変形例１］
具体的には、図５に示したように、非発光性画像Ｇの上に発光性画像ＮＧを形成するために、定着部５０が非発光性トナーＴおよび発光性トナーＮＴを別個の工程において媒体Ｍに定着させている。この場合には、非発光性トナーＴを用いて画像形成処理（現像処理、１次転写処理、２次転写処理および定着処理）を行うことにより非発光性画像Ｇを形成したのち、発光性トナーＮＴを用いて画像形成処理を行うことにより発光性画像ＮＧを形成している。
【０１７４】
しかしながら、例えば、非発光性画像Ｇの上に発光性画像ＮＧを形成できるのであれば、例えば、定着部５０が非発光性トナーＴおよび発光性トナーＮＴを同一の工程において媒体Ｍに定着させてもよい。
【０１７５】
例えば、非発光性トナーＴを用いて現像処理および１次転写処理を行い、引き続き発光性トナーＮＴを用いて現像処理および１次転写処理を行ったのち、それらの非発光性トナーＴおよび発光性トナーＮＴを用いて２次転写処理および定着処理してもよい。この場合には、中間転写ベルト４１の表面に非発光性トナーＴが転写されたのち、その非発光性トナーＴの上に発光性トナーＮＴが転写されるため、その中間転写ベルト４１の上において非発光性トナーＴおよび発光性トナーＮＴが互いに重ねられる。これにより、非発光性トナーＴおよび発光性トナーＮＴは、定着部５０により同一の工程においてまとめて定着される。
【０１７６】
または、例えば、非発光性トナーＴを用いて現像処理、１次転写処理および２次転写処理を行い、引き続き発光性トナーＮＴを用いて現像処理、１次転写処理および２次転写処理を行ったのち、それらの非発光性トナーＴおよび発光性トナーＮＴを用いて定着処理してもよい。この場合には、媒体Ｍの表面に非発光性トナーＴが転写されたのち、その非発光性トナーＴの上に発光性トナーＮＴが転写されるため、その媒体Ｍの上において非発光性トナーＴおよび発光性トナーＮＴが互いに重ねられる。これにより、非発光性トナーＴおよび発光性トナーＮＴは、定着部５０により同一の工程においてまとめて定着される。
【０１７７】
これらの場合においても、共通する画像データＤに基づいて非発光性画像Ｇおよび発光性画像ＮＧのそれぞれを形成することにより、その非発光性画像Ｇおよび発光性画像ＮＧが互いに重なるため、同様の効果を得ることができる。
【０１７８】
ただし、上記したように、未だ媒体Ｍに定着されていない非発光性トナーＴは脱落および移動しやすいため、画像の画質を低下させる可能性がある。よって、画像の品質を向上させるためには、定着部５０が非発光性トナーＴおよび発光性トナーＮＴを別個の工程において媒体Ｍに定着させることが好ましい。
【０１７９】
［変形例２］
図５に示したように、非発光性トナーＴを用いて媒体Ｍの表面に非発光性画像Ｇを形成したのち、発光性トナーＮＴを用いて非発光性画像Ｇの上に発光性画像ＮＧを形成している。この場合には、画像形成装置は、画像データＤに基づいて非発光性トナーＴを用いて画像形成動作（現像処理、１次転写処理、２次転写処理および定着処理）を行ったのち、その画像データＤに基づいて発光性トナーＮＴを用いて画像形成動作を行っている。
【０１８０】
このように非発光性画像Ｇを形成したのちに発光性画像ＮＧを形成する動作手順は、例えば、単に媒体Ｍの表面に画像を形成すればよい用途などにおいて用いられる。この場合には、図５から明らかなように、媒体Ｍの表面に形成された画像のうちの最上層は、発光性画像ＮＧになる。
【０１８１】
しかしながら、例えば、図５に対応する図６に示したように、発光性トナーＴを用いて媒体Ｍの表面に発光性画像ＮＧを形成したのち、非発光性トナーＴを用いて発光性画像ＮＧの上に非発光性画像Ｇを形成してもよい。この場合には、画像形成装置は、画像データＤに基づいて発光性トナーＮＴを用いて画像形成動作を行ったのち、その画像データＤに基づいて非発光性トナーＴを用いて画像形成動作を行う。
【０１８２】
このように発光性画像ＮＧを形成したのちに非発光性画像Ｇを形成する動作手順は、例えば、媒体Ｍの表面に画像を形成したのち、その画像を他の媒体に転写する用途などにおいて用いられる。他の媒体は、特に限定されないが、例えば、上記したＴシャツプリントの用途において用いられるＴシャツなどである。この場合には、図６から明らかなように、媒体Ｍの表面に形成された画像のうちの最上層は、非発光性画像Ｇになる。しかしながら、他の媒体に転写された画像のうちの最上層は、発光性画像ＮＧになる。
【０１８３】
この場合においても、共通する画像データＤに基づいて非発光性画像Ｇおよび発光性画像ＮＧのそれぞれを形成することにより、同様の効果を得ることができる。
【０１８４】
［変形例３］
非発光性トナーＮＴとしてイエロートナーおよびマゼンタトナーだけを用いることにより、シアントナーを用いなかったが、例えば、シアントナーを用いてもよい。この場合には、３種類の非発光性トナー（イエロートナー、マゼンタトナーおよびシアントナー）を用いて非発光性画像Ｇが形成される。この場合においても、共通する画像データＤに基づいて非発光性画像Ｇおよび発光性画像ＮＧのそれぞれを形成することにより、同様の効果を得ることができる。
【０１８５】
ただし、上記したように、画像を形成するために用いられるトナーの種類の減少させるためには、非発光性トナーＮＴとしてイエロートナーおよびマゼンタトナーだけを用いることが好ましい。
【０１８６】
［変形例４］
１つの転写部４０を用いて、非発光性トナーＴを用いた転写処理と発光性トナーＮＴを用いた転写処理を行うようにしたが、例えば、２つの転写部４０を用いてもよい。すなわち、画像形成装置は、非発光性トナーＴを用いた転写処理を行う１つ目の転写部４０と、発光性トナーＮＴを用いた転写処理を行う２つ目の転写部４０とを備えるようにしてもよい。この場合においても、同様の効果を得ることができる。ただし、画像形成装置の構成を簡素化するためには、１つの転写部４０を用いることが好ましい。
【０１８７】
同様に、１つの定着部５０を用いて、非発光性トナーＴを用いた定着処理と発光性トナーＮＴを用いた定着処理を行うようにしたが、２つの定着部５０を用いてもよい。すなわち、画像形成装置は、非発光性トナーＴを用いた定着処理を行う１つ目の定着部５０と、発光性トナーＮＴを用いた定着処理を行う２つ目の定着部５０とを備えるようにしてもよい。この場合においても、同様の効果を得ることができる。ただし、画像形成装置の構成を簡素化するためには、１つの定着部５０を用いることが好ましい。
【０１８８】
［変形例５］
非発光性画像Ｇおよび発光性画像ＮＧのそれぞれの構成は、任意に設定可能である。例えば、非発光性画像Ｇおよび発光性画像ＮＧのそれぞれの厚さは、特に限定されない。具体的には、例えば、画像の発光性を強くしたい場合には、発光性画像ＮＧの厚さを非発光性画像Ｇの厚さより大きくしてもよい。また、例えば、画像の形成後において長期間が経過しても、非発光性画像Ｇに基づいて、媒体Ｍの表面に形成されていた画像の内容が本来はどのような内容であったのかを認識しやすくするためには、非発光性画像Ｇの厚さを発光性画像ＮＧの厚さより大きくしてもよい。これらの場合においても、同様の効果を得ることができる。
【実施例】
【０１８９】
本発明の実施例に関して、詳細に説明する。なお、説明する順序は、下記の通りである。
１．画像の本質的な品質
２．画像の品質改善
【０１９０】
＜１．画像の本質的な品質＞
まず、発光性トナー（蛍光イエロートナー、蛍光マゼンタトナーおよび蛍光シアントナー）を用いて形成された画像（発光性画像）に関する色ごとの品質の実力を調べるために、その発光性トナーを用いて各色の画像を形成したのち、各色の画像の品質を調べた。
【０１９１】
画像を形成する場合には、画像形成装置として、株式会社沖データ製のカラープリンタＭＩＣＲＯＬＩＮＥ  ＶＩＮＣＩ  Ｃ９４１ｄｎ（感光体ドラムの最外周の線速＝２００ｍｍ／秒）を用いると共に、その画像が形成される媒体として、株式会社沖データ製のカラープリンタ用紙  エクセレントホワイトＡ４を用いた。
【０１９２】
この場合には、画像形成モードとして、図３を参照しながら説明した通常モードを用いた。これにより、蛍光イエロートナー、蛍光マゼンタトナーおよび蛍光シアントナーのそれぞれを用いて画像形成処理（現像処理、１次転写処理、２次転写処理および定着処理）を行うことにより、各色のベタ画像（印字率＝１００％）を形成した。環境条件は常温条件（温度＝２５℃、湿度＝４０％）、画像の印画方向は媒体の長手方向とした。なお、蛍光イエロートナー、蛍光マゼンタトナーおよび蛍光シアントナーのそれぞれの定着時における面積密度は、いずれも０．４ｍｇ／ｃｍ2 とした。
【０１９３】
画像の品質を調べる場合には、各色の画像に基づいて残存率（％）を求めると共に、各色の画像に関する画質の経時変化を目視評価した。
【０１９４】
蛍光イエロートナーを用いて形成された画像の残存率を求める場合には、最初に、蛍光イエロートナーを用いて５枚の画像（発光性画像）を形成した。続いて、濃度計（Ｘ−ｒｉｔｅ社製の５２８分光濃度計）を用いて５枚の画像のそれぞれの濃度を測定したのち、それらの測定値の平均値を算出した。この場合には、濃度の測定位置を各画像の中心位置とした。続いて、耐候性試験機（ＡＴＬＡＳ社のキセノン耐候性試験機Ｃｉ４０００型）を用いて５枚の画像に試験光（照度＝５５０００ｌｕｘ，照射時間＝３０時間）を照射しながら、３時間ごとに濃度を測定した。この場合には、試験光の照射前において濃度を測定した場合と同様に、３時間ごとに５枚の画像のそれぞれに関して測定された濃度の測定値の平均値を算出した。最後に、残存率（％）＝（試験光の照射後の濃度／試験光の照射前の濃度）×１００という計算式に基づいて、３時間ごとに残存率を算出した。
【０１９５】
蛍光マゼンタトナーを用いて形成された画像および蛍光シアノトナーを用いて形成された画像のそれぞれに関しても、蛍光イエロートナーを用いて形成された画像に関する残存率の算出手順と同様の手順により、残存率を求めた。この結果、表１〜表３に示した結果が得られた。
【０１９６】
【表１】
0006712191.tif 000002
【０１９７】
【表２】
0006712191.tif 000003
【０１９８】
【表３】
0006712191.tif 000004
【０１９９】
蛍光イエロートナーを用いて形成された画像（発光性画像）の画質に関する経時変化を目視評価する場合には、その画像に試験光を照射しながら、３時間ごとに画像の画質を目視で評価した。蛍光マゼンタトナーを用いて形成された画像および蛍光シアノトナーを用いて形成された画像のそれぞれに関しても同様に、画像に試験光を照射しながら画質を目視で評価した。この結果、表４に示した結果が得られた。
【０２００】
この場合には、画像の形成当初の色味が十分に保持されているるため、その画像の色味を依然として識別しやすい場合を「Ａ」と評価した。画像の形成当初の色味が薄れてしまったため、その画像の色味を識別しにくい場合を「Ｃ」と評価した。
【０２０１】
【表４】
0006712191.tif 000005
【０２０２】
表１〜表３に示したように、発光性トナーだけを用いて画像を形成した場合には、その発光性トナーの種類（色）に応じて耐光性に大きな差異が生じた。
【０２０３】
具体的には、蛍光シアントナーを用いた場合（表３）には、時間が経過しても画像がほとんど退色しないため、３０時間が経過しても残存率がほぼ１００％であった。この結果は、蛍光シアントナーが本質的に退色しにくいことを表している。
【０２０４】
これに対して、蛍光イエロートナーおよび蛍光マゼンタトナーを用いた場合（表１および表２）には、時間の経過に応じて画像が大幅に退色したため、３０時間が経過すると残存率は半分程度まで減少した。この場合には、特に、蛍光マゼンタトナーを用いた場合よりも蛍光イエロートナーを用いた場合において、残存率がより減少した。この結果は、蛍光イエロートナーおよび蛍光マゼンタトナーが本質的に退色しやすいことを表している。
【０２０５】
また、表４に示したように、発光性トナーだけを用いて画像を形成した場合には、その発光性トナーの種類（色）に応じて画質に大きな差異が生じた。
【０２０６】
具体的には、蛍光シアントナーを用いた場合には、時間が経過しても色味が十分に保持されたため、３０時間が経過しても良好な画質が得られた。
【０２０７】
これに対して、蛍光イエロートナーおよび蛍光マゼンタトナーを用いた場合には、時間の経過に応じて色味が急激に劣化したため、９時間を経過すると良好な画質が得られなかった。
【０２０８】
これらのことから、蛍光シアントナーを用いて画像を形成した場合には、時間が経過しても画像が退色しにくいと共に、画質が十分に保持される傾向にある。これに対して、蛍光イエロートナーおよび蛍光マゼンタトナーのそれぞれを用いて画像を形成した場合には、時間の経過に応じて画像が退色しやすいと共に、画質が低下しやすい傾向にある。
【０２０９】
＜２．画像の品質改善＞
次に、画像の品質に関する改善状況を調べるために、非発光性トナーおよび発光性トナーを用いて画像（非発光性画像および発光性画像）を形成したのち、その画像の耐光性および画質を調べた。
【０２１０】
ここでは、上記したように、蛍光シアントナーを用いた場合には十分な耐光性が得られたのに対して、蛍光イエロートナーおよび蛍光マゼンタトナーのそれぞれを用いて画像を形成した場合には十分な耐光性が得られなかったことを踏まえて、発光性トナーとして蛍光イエロートナーおよび蛍光マゼンタトナーを用いた。
【０２１１】
蛍光イエロートナーおよび蛍光マゼンタトナーのそれぞれを用いて画像を形成する場合には、画像形成モードとして、図３を参照しながら説明した２種類のモード（通常モードおよび耐光性ＵＰモード）を用いた。
【０２１２】
通常モードの画像を形成する場合には、上記した画像形成手順により、蛍光イエロートナーおよび蛍光マゼンタトナーのそれぞれを用いてベタ画像（印字率＝１００％）を形成した。
【０２１３】
耐光性ＵＰモードの画像を形成する場合の手順は、以下の通りである。非発光性トナー（イエロートナーまたはマゼンタトナー）を用いてベタ画像を形成したのち、同系色の発光性トナー（蛍光イエロートナーまたは蛍光マゼンタトナー）を用いてベタ画像を形成した。この場合には、表５および表６に示したように、１０％〜１００％の範囲内において非発光性画像の印字率（％）を変化させると共に、発光性画像の印字率を１００％とした。なお、画像形成装置の型番、媒体の種類および環境条件などに関する詳細は、上記した通りである。
【０２１４】
ここで、画像の品質に関する改善状況を調べる前に、まず、通常モードの画像および耐光性ＵＰモードの画像のそれぞれの色相を調べたのち、その耐光性ＵＰモードの画像の色相を評価した。この結果、表５および表６に示した結果が得られた。
【０２１５】
通常モードの画像の色相を調べる場合には、蛍光イエロートナーまたは蛍光マゼンタトナーを用いて通常モードの画像（発光性画像）を形成したのち、濃度計（Ｘ−ｒｉｔｅ社製の５２８分光濃度計）を用いて画像のＬ値（Ｌ＊）、ａ値（ａ＊）およびｂ値（ｂ＊）を測定した。耐光性ＵＰモードの画像の色相を調べる場合には、蛍光イエロートナーおよびイエロートナーを用いて耐光性ＵＰモードの画像（非発光性画像および発光性画像）を形成すると共に、蛍光マゼンタトナーおよびマゼンタトナーを用いて耐光性ＵＰモードの画像（非発光性画像および発光性画像）を形成したのち、上記した濃度計を用いて画像のＬ値（Ｌ＊）、ａ値（ａ＊）およびｂ値（ｂ＊）を測定した。
【０２１６】
耐光性ＵＰモードの画像（蛍光イエロートナー）の色相を評価する場合には、通常モードの発光性画像の色相（Ｌ値、ａ値およびｂ値）と比較して、Ｌ値の変動量が２．６２％未満、ａ値の変動量が１８．７６％未満、ｂ値の変動量が３０．１１％未満である場合を「Ａ」と評価した。Ｌ値の変動量が２．６２％以上３．１５％未満、ａ値の変動量が１８．７６％以上２１．９０％未満、ｂ値の変動量が３０．１１％以上３３．６３％未満である場合を「Ｂ」と評価した。Ｌ値の変動量が３．１５％以上、ａ値の変動量が２１．９０％以上、ｂ値の変動量が３３．６３％以上である場合を「Ｃ」と評価した。
【０２１７】
耐光性ＵＰモードの画像（蛍光マゼンタトナー）の色相を評価する場合には、通常モードの発光性画像の色相（Ｌ値、ａ値およびｂ値）と比較して、Ｌ値の変動量が９．８５％未満、ａ値の変動量が１２．１５％未満、ｂ値の変動量が４．６５％未満である場合を「Ａ」と評価した。Ｌ値の変動量が９．８５％以上１１．６３％未満、ａ値の変動量が１２．１５％以上１５．９３％未満、ｂ値の変動量が４．６５％以上５．８６％未満である場合を「Ｂ」と評価した。Ｌ値の変動量が１１．６３％以上、ａ値の変動量が１５．９３％以上、ｂ値の変動量が５．８６以上である場合を「Ｃ」と評価した。
【０２１８】
【表５】
0006712191.tif 000006
【０２１９】
【表６】
0006712191.tif 000007
【０２２０】
表５に示したように、蛍光イエロートナーおよびイエロートナーを用いて耐光性ＵＰモードの画像を形成した場合には、その画像の色相は、イエロートナーを用いて形成された非発光性画像の印字率に応じて変動した。
【０２２１】
具体的には、非発光性画像の印字率が５０％以下であると、耐光性ＵＰモードの画像の色相が通常モードの画像の色相に近くなると共に、その非発光性画像の印字率が３０％以下であると、耐光性ＵＰモードの画像の色相が通常モードの画像の色相により近くなった。すなわち、非発光性画像の印字率が５０％以下であると、耐光性ＵＰモードの画像において、通常モードの画像の色相とほぼ同等の色相が得られた。
【０２２２】
また、表６に示したように、蛍光マゼンタトナーおよびマゼンタトナーを用いて耐光性ＵＰモードの画像を形成した場合においても、蛍光イエロートナーおよびイエロートナーを用いて耐光性ＵＰモードの画像を形成した場合（表５）と同様の結果が得られた。
【０２２３】
具体的には、非発光性画像の印字率が５０％以下、好ましくは印字率が３０％以下であると、耐光性ＵＰモードの画像の色相が通常モードの画像の色相に近くなった。
【０２２４】
次に、耐光性ＵＰモードの画像に関する品質の改善状況を調べるために、残存率を求めると共に、画質の経時変化を目視評価した。残存率の算出手順および画質の評価手順は、上記した通りである。
【０２２５】
この場合には、蛍光イエロートナーを用いて形成された通常モードの画像に基づいて残存率（％）を求めたところ、表７に示した結果が得られると共に、その通常モードの画像に関する画質の経時変化を目視評価したところ、表１０に示した結果が得られた。また、蛍光イエロートナーおよびイエロートナーを用いて形成された耐光性ＵＰモードの画像に基づいて残存率（％）を求めたところ、表８および表９に示した結果が得られると共に、その耐光性ＵＰモードの画像に関する画質の経時変化を目視評価したところ、表１１および表１２に示した結果が得られた。
【０２２６】
蛍光マゼンタトナーを用いて形成された通常モードの画像に基づいて残存率（％）を求めたところ、表１３に示した結果が得られると共に、その通常モードの画像に関する画質の経時変化を目視評価したところ、表１６に示した結果が得られた。また、蛍光マゼンタトナーおよびマゼンタトナーを用いて形成された耐光性ＵＰモードの画像に基づいて残存率（％）を求めたところ、表１４および表１５に示した結果が得られると共に、その耐光性ＵＰモードの画像に関する画質の経時変化を目視評価したところ、表１７および表１８に示した結果が得られた。
【０２２７】
なお、耐光性ＵＰモードの画像を形成する場合には、表５および表６に示した結果を踏まえて、非発光性画像の印字率を３０％および５０％とした。非発光性画像の印字率が３０％である耐光性ＵＰモードは、図３を参照しながら説明した耐光性ＵＰモード１に対応している。非発光性画像の印字率が５０％である耐光性ＵＰモードは、図３を参照しながら説明した耐光性ＵＰモード２に対応している。
【０２２８】
【表７】
0006712191.tif 000008
【０２２９】
【表８】
0006712191.tif 000009
【０２３０】
【表９】
0006712191.tif 000010
【０２３１】
【表１０】
0006712191.tif 000011
【０２３２】
【表１１】
0006712191.tif 000012
【０２３３】
【表１２】
0006712191.tif 000013
【０２３４】
【表１３】
0006712191.tif 000014
【０２３５】
【表１４】
0006712191.tif 000015
【０２３６】
【表１５】
0006712191.tif 000016
【０２３７】
【表１６】
0006712191.tif 000017
【０２３８】
【表１７】
0006712191.tif 000018
【０２３９】
【表１８】
0006712191.tif 000019
【０２４０】
表７〜表９に示したように、蛍光イエロートナーおよびイエロートナーを用いて耐光性ＵＰモードの画像を形成した場合（表８および表９）には、蛍光イエロートナーだけを用いて通常モードの画像を形成した場合（表７）と比較して、残存率が大きくなった。
【０２４１】
具体的には、蛍光イエロートナーおよびイエロートナーを用いて耐光性ＵＰモード１（非発光性画像の印字率＝３０％）の画像を形成した場合（表８）には、蛍光イエロートナーだけを用いて通常モードの画像を形成した場合（表７）と比較して、残存率が大きくなった。また、蛍光イエロートナーおよびイエロートナーを用いて耐光性ＵＰモード２（非発光性画像の印字率＝５０％）の画像を形成した場合（表９）には、上記した耐光性ＵＰモード１の画像を形成した場合（表８）と比較して、残存率がより大きくなった。この結果は、耐光性ＵＰモードの画像が通常モードの画像よりも退色しにくくなることを表している。
【０２４２】
また、表１０〜表１２に示したように、蛍光イエロートナーおよびイエロートナーを用いて耐光性ＵＰモードの画像を形成した場合（表１１および表１２）には、蛍光イエロートナーだけを用いて通常モードの画像を形成した場合（表１０）と比較して、画質が低下しにくくなった。
【０２４３】
具体的には、蛍光イエロートナーだけを用いて通常モードの画像を形成した場合（表１０）には、９時間が経過するまでは良好な画質が得られたが、９時間を経過すると良好な画質が得られなかった。これに対して、耐光性ＵＰモード１の画像を形成した場合（表１１）には、２４時間が経過するまで良好な画質が得られると共に、耐光性ＵＰモード２の画像を形成した場合（表１２）には、３０時間が経過しても良好な画質が得られた。この結果は、耐光性ＵＰモードの画像の画質が通常モードの画像の画質よりも低下しにくくなることを表している。
【０２４４】
この他、表１３〜表１８に示したように、蛍光マゼンタトナーおよびマゼンタトナーを用いて耐光性ＵＰモードの画像を形成した場合においても、蛍光イエロートナーおよびイエロートナーを用いて耐光性ＵＰモードの画像を形成した場合（表７〜表１２）と同様の結果が得られた。
【０２４５】
具体的には、表１３〜表１５に示したように、蛍光マゼンタトナーおよびマゼンタトナーを用いて耐光性ＵＰモードの画像を形成した場合（表１４および表１５）には、蛍光マゼンタトナーだけを用いて通常モードの画像を形成した場合（表１３）と比較して、残存率が大きくなった。
【０２４６】
また、表１６〜表１８に示したように、蛍光マゼンタトナーおよびマゼンタトナーを用いて耐光性ＵＰモードの画像を形成した場合（表１７および表１８）には、蛍光マゼンタトナーだけを用いて通常モードの画像を形成した場合（表１６）と比較して、画質が低下しにくくなった。
【０２４７】
特に、耐光性ＵＰモードの画像を形成した場合には、非発光性画像および発光性画像が互いに重ねられているにもかかわらず、色ずれなどに起因する画質の低下はほとんど確認されなかった。
【０２４８】
これらのことから、通常モードの画像を形成した場合には、時間の経過に応じて画像が退色しやすいと共に、画質が低下しやすい傾向にある。これに対して、耐光性ＵＰモードの画像を形成した場合には、時間が経過しても画像が退色しにくいと共に、画質が十分に保持される傾向にある。
【０２４９】
表１〜表１８に示した結果から、画像データに基づいて形成された静電潜像に非発光性トナーを付着させると共に、その画像データに基づいて形成された静電潜像に発光性トナーを付着させたのち、その非発光性トナーおよび発光性トナーを転写および定着させることにより、媒体の表面に非発光性画像および発光性画像が互いに重なるように形成される。これにより、画像が退色しにくくなると共に、その画像の画質が保持されやすくなるため、高品質な画像が得られた。
【０２５０】
以上、一実施形態を挙げながら本発明を説明したが、本発明は上記した一実施形態において説明した態様に限定されず、種々の変形が可能である。
【０２５１】
具体的には、例えば、本発明の一実施形態の画像形成装置の画像形成方式は、中間転写ベルトを用いた中間転写方式に限られず、他の画像形成方式でもよい。他の画像形成方式は、例えば、中間転写ベルトを用いない画像形成方式などである。中間転写ベルトを用いない画像形成方式では、潜像に付着されたトナーが媒体に対して中間転写ベルトを介して間接的に転写されず、その潜像に付着されたトナーが媒体に対して直接的に転写される。
【０２５２】
また、例えば、本発明の一実施形態の画像形成装置は、プリンタに限られず、複写機、ファクシミリおよび複合機などでもよい。
【符号の説明】
【０２５３】
３０…現像部、４０…転写部、５０…定着部、Ｇ…非発光性画像、Ｍ…媒体、ＮＧ…発光性画像、ＮＴ…発光性トナー、Ｔ…非発光性トナー。
【図１】
0006712191.tif 000020
【図２】
0006712191.tif 000021
【図３】
0006712191.tif 000022
【図４】
0006712191.tif 000023
【図５】
0006712191.tif 000024
【図６】
0006712191.tif 000025